(57)【特許請求の範囲】
【請求項１】
遊技機枠体が前枠と前枠の前側にヒンジで片開き可能に取付けられたパネル枠とを備え、前枠にはパネル枠の開閉によりオン・オフ動作する釦を有する接触形の検出器が弾性的に片支持された遊技機枠体の開閉検出装置において、前枠には貫通孔が検出器を前枠の前側から裏側にまたは裏側から前側に通過可能な大きさに形成され、前枠における貫通孔の周りの裏側には前枠からパネル枠の方向に復元するばね力を保有する板ばねが片支持された状態に固定的に取付けられ、板ばねの貫通孔と対応する自由端部には釦をパネル枠の側に向けて貫通孔に挿入された検出器の裏面が固定的に取付けられたことを特徴とする遊技機枠体の開閉検出装置。
【請求項２】
前枠における貫通孔の周りの裏側には板ばねにおける検出器の周りの自由端部を板ばねのばね力で接触させて受け止めるための周壁が前枠における貫通孔の周りから裏側に突出して設けられたことを特徴とする請求項１記載の遊技機枠体の開閉検出装置。
【請求項３】
遊技機枠体が前枠と前枠の前側にヒンジで片開き可能に取付けられたパネル枠とを備え、パネル枠にはパネル枠の開閉によりオン・オフ動作する釦を有する接触形の検出器が弾性的に片支持された遊技機枠体の開閉検出装置において、パネル枠には貫通孔が検出器をパネル枠の前側から裏側にまたは裏側から前側に通過可能な大きさに形成され、パネル枠における貫通孔の周りの前側にはパネル枠から前枠の方向に復元するばね力を保有する板ばねが片支持された状態に固定的に取付けられ、板ばねの貫通孔と対応する自由端部には釦を前枠の側に向けて貫通孔に挿入された検出器の裏面が固定的に取付けられたことを特徴とする遊技機枠体の開閉検出装置。
【請求項４】
パネル枠における貫通孔の周りの裏側には板ばねにおける検出器の周りの自由端部を板ばねのばね力で接触させて受け止めるための周壁がパネル枠における貫通孔の周りから前側に突出して設けられたことを特徴とする請求項３記載の遊技機枠体の開閉検出装置。
【発明の詳細な説明】
【０００１】
【発明の属する技術分野】
本発明は、パチンコ機やスロットマシン等に用いられる遊技機枠体の開閉体の開閉を電気的に検出する装置に関する。
【０００２】
【従来の技術】
図４は実開昭５０−１２９２８７号公報で開示された開閉検出装置を示す。図４おいて、１０２は遊技機枠体の開閉体、１０３は遊技機枠体の開閉体１０２が片開き可能に連結された相手側部材、１０４は相手側部材１０３に設けられたマイクロスイッチのような接触形の検出器、１０５は検出器１０４の釦、１０６は検出器１０４に設けられた板ばねである。そして、検出器１０４に電気が供給状態において、開閉体１０２が閉じている場合は、開閉体１０２が板ばね１０６を押し、板ばね１０６が釦１０５を押込み、検出器１０４が開閉体１０２の閉じられていることを検出したことに相当するオフ信号を図外の制御装置に出力する。その状態から、開閉体１０２が矢印Ｘ方向に開いて板ばね１０６から退避するに連れて、板ばね１０６が釦１０５から退避し、釦１０５が突出し、検出器１０４が開閉体１０２の開かれたことを検出したことに相当するオン信号を制御装置に出力する。
【０００３】
【発明が解決しようとする課題】
しかし、前記従来例は開閉体１０２と釦１０５との間に板ばね１０６を介在させた構造であるため、開閉体１０２が閉じる場合に、釦１０５が板ばね１０６を介して開閉体１０２で押込まれ、検出器１０４がオフ信号を出力した以降でも、釦１０５が開閉体１０２でへこむ方向に押圧される押し過ぎを受けて検出器１０４の内部に衝突する底突きを発生すると、検出器１０４が故障し易いことは否めない。
【０００４】
そこで、本発明は、検出器の釦による底突きを防止して、品質信頼性を向上することができる遊技機枠体の開閉検出装置を提供するものである。
【０００５】
【課題を解決するための手段】
本発明にあっては、遊技機枠体が前枠と前枠の前側にヒンジで片開き可能に取付けられたパネル枠とを備え、前枠にはパネル枠の開閉によりオン・オフ動作する釦を有する接触形の検出器が弾性的に片支持された遊技機枠体の開閉検出装置において、前枠には貫通孔が検出器を前枠の前側から裏側にまたは裏側から前側に通過可能な大きさに形成され、前枠における貫通孔の周りの裏側には前枠からパネル枠の方向に復元するばね力を保有する板ばねが片支持された状態に固定的に取付けられ、板ばねの貫通孔と対応する自由端部には釦をパネル枠の側に向けて貫通孔に挿入された検出器の裏面が固定的に取付けられるか、または、パネル枠には貫通孔が検出器をパネル枠の前側から裏側にまたは裏側から前側に通過可能な大きさに形成され、パネル枠における貫通孔の周りの前側にはパネル枠から前枠の方向に復元するばね力を保有する板ばねが片支持された状態に固定的に取付けられ、板ばねの貫通孔と対応する自由端部には釦を前枠の側に向けて貫通孔に挿入された検出器の裏面が固定的に取付けられたことを特徴としている。よって、本発明によれば、パネル枠が閉じる場合に、検出器がオフ信号を出力した以降でも、釦が検出器の方向にへこむ方向に押圧される押し過ぎを受けると、片支持された板ばねが撓むことにより、検出器が弾性的に逃げて、釦の底突きによる衝撃を吸収し、検出器の寿命が長くなり、品質信頼性を向上することができる。板ばねにおける検出器の周りの自由端部を板ばねのばね力で接触させて受け止めるための周壁が、前枠における貫通孔の周りから裏側に突出して設けられるか、または、パネル枠における貫通孔の周りから前側に突出して設けられれば、検出器が所定位置の停止位置より検出器の設けられないパネル枠または前枠の方向に浮上ることを防止でき、検出器が損傷を受ける不都合は解消できるうえ、上記検出器の浮上がり防止により、検出器の設けられないパネル枠または前枠に対する検出器の釦の位置が正確となり、検出器によるパネル枠の開閉検出が正確となる。
【０００６】
【発明の実施の形態】
図１及び図２は本発明の第１実施形態であって、図１は開閉検出装置の外観を示し、図２は検出器２１の取付構造を示す。
【０００７】
図１を参照し、開閉検出装置について説明する。遊技機枠体１はパチンコ店の島に固定される額縁状の外枠２に額縁状の前枠３が枠ヒンジ４により横前側に片開き可能に取付けられる。前枠３の前側には枠支持体５が前枠３の中央開口を囲む周縁部に固定される。枠支持体５にはパネル枠６と上皿装置８とが図外の飾りヒンジにより横前側に片開き可能に取付けられる。前枠３とパネル枠６と上皿装置８との開閉中心は同一側である。
【０００８】
パネル枠６には無色のような光透過性を有する合成樹脂又はガラスよりなるパネル７が嵌め込まれ、前枠３の前側には図外の前飾りがパネル枠６及び下皿装置１０を囲むように固定され、下皿装置１０が上皿装置８よりも下位に固定される。下皿装置１０の右側には球発射装置を駆動するハンドルグリップ１１が配置される。パネル枠６と上皿装置８とを開いた状態において、前枠３にはガイドレール、入賞口装置、図柄表示装置、風車、アウト口、表示等を有する図外の遊技盤が格納される。
【０００９】
本実施形態ではパネル枠６が開閉体を構成し、パネル枠６の自由端側には押圧部２０を備え、前枠３が相手側部材を構成し、前枠３の自由端側には枠支持体５を介してマイクロスイッチのような接触形の検出器２１を板ばね２３で弾性的に支持している。図２にも示すように、検出器２１はマイクロスイッチのような接触形であって、釦２２を有し、釦２２を前側つまりパネル枠６側に向けている。検出器２１は枠支持体５に片支持された板ばね２３の自由端部に固定されかつ枠支持体５に形成された貫通孔２４に挿入される。板ばね２３は枠支持体５の貫通孔２４周りより裏側に突出する周壁２５に接触する方向に復元するばね力を保有する。
【００１０】
そして、電気が検出器２１に図外の電線を通して供給された状態において、パネル枠６が閉じている場合は、押圧部２０が検出器２１の釦２２を押込み、検出器２１がパネル枠６の閉じられていることを検出したことに相当するオフ信号を図外の制御装置に出力する。上記釦２２が押圧部２０で押込まれ、検出器２１がオフ信号を出力した以降においても、押圧部２０が釦２２を押込む場合には、板ばね２３が図２の実線示位置から仮想線示位置側に撓むことで、釦２２の押し過ぎによる底突きを防止する。その状態から、パネル枠６が開き、それに伴い板ばね２３が図２の仮想線示位置から実線示位置に復元して周壁２５に接触した後、押圧部２０が検出器２１の釦２２から退避し、釦２２が検出器２１に内蔵したばね力で前側に復元すると、検出器２１がパネル枠６の開かれたことを検出したことに相当するオン信号を制御装置に出力する。
【００１１】
一方、パネル枠６が勢いよく閉じられた場合には、板ばね２３が図２の実線示位置から仮想線示位置側に撓んで勢いよく閉じたパネル枠６の衝撃を吸収するので、勢いよく閉じたパネル枠６の衝撃力の全部が検出器２１に入力されることはない。又、板ばね２３が図２の仮想線示位置から実線示位置へと戻る場合、板ばね２３が周壁２５で受止められてそれ以上前側に移動することがないので、検出器２１が所定位置の停止位置より前側に浮上ることが防止でき、検出器２１が損傷を受けるような不都合は解消できる。上記検出器２１の前側への浮上がり防止により、釦２２の前側への位置が正確となり、検出器２１によるパネル枠６の開閉検出が正確となる。
【００１２】
図３は本発明の第２実施形態を示す。図３のａ図は枠支持体５に検出器２１を実装した回路基板２６を防振ゴム２７で両支持に固定し、検出器２１を枠支持体５に対して平行移動可能とした場合である。図３のｂ図は検出器２１を支持する防振ゴム２８を枠支持体５に止ねじ２９で取付けた場合である。図３のｃ図は検出器２１を抱持する防振ゴム３０を枠支持体５に止ねじ３１とブラケット３２とで取付けた場合である。
【００１３】
前記実施形態に限定されるものではなく、検出器２１をパネル枠６に設け、押圧部２０を前枠３に設けても良く、又は、前枠３を開閉体とし、外枠２を相手側部材としても良い。又、パネル枠６と前飾りとを単一体として前枠３に片開き可能に連結した構造でも同様に適用できる。
【図面の簡単な説明】
【図１】  本発明の第１実施形態の開閉検出装置を示す斜視図。
【図２】  同第１実施形態の検出器の取付構造を示す斜視図。
【図３】  本発明の第２実施形態の開閉検出装置を示す模式図。
【図４】  従来例を示す模式図。
【符号の説明】
１  遊技機枠体
３  前枠（相手側部材）
６  パネル枠（開閉体）
２１  検出器
２３  板ばね
２７；２８；３０  防振ゴム
【図１】
0004021609.tif 000002
【図２】
0004021609.tif 000003
【図３】
0004021609.tif 000004
【図４】
0004021609.tif 000005